(57)【要約】      （修正有）【課題】初回送信パケットの一定時間間隔後に再送パケットに無線リソースが固定的に割り当てられても、いずれの無線通信端末にも割り当て不可能な空きリソースを減少させ、システムスループットの低下を防止する。【解決手段】無線基地局は、非サブフレームバンドリングクラスとサブフレームバンドリングクラスのうちのいずれかから、無線通信端末のリソース割り当てクラスを決定する決定部と、前記決定部で決定されたリソース割り当てクラスに割り当て可能な無線リソース群のうちの空きリソースを、所定の周波数方向から順に前記無線通信端末に割り当てる割り当て部と、を具備する。非サブフレームバンドリングクラスに割り当て可能な無線リソースは、サブフレームバンドリングクラスの初回送信パケットに割り当てられるサブフレーム又は該サブフレームの一定時間間隔後で再送パケットに割り当てられるサブフレームを含まないように設定される。【選択図】図５
2012222693.tif 000002
【特許請求の範囲】
【請求項１】
所定の時間単位であるサブフレームと所定の周波数帯域単位であるリソースブロックとから構成される無線リソースを無線通信端末に対して割り当てる無線基地局であって、
１つのサブフレームにおける連続する複数のリソースブロックを割り当てる第１リソース割り当てクラスと、連続する複数のサブフレームにおけるリソースブロックを割り当てる第２リソース割り当てクラスとのうちのいずれかから、前記無線通信端末のリソース割り当てクラスを決定する決定部と、
決定された前記リソース割り当てクラスに割り当て可能な無線リソース群における空きリソースを、所定の周波数方向から順に前記無線通信端末に割り当てる割り当て部と、を具備し、
前記第１リソース割り当てクラスに割り当て可能な無線リソース群は、前記第２リソース割り当てクラスの初回送信パケットに割り当てられるサブフレーム又は該サブフレームの一定時間間隔後で再送パケットに割り当てられるサブフレームを含まないように設定されることを特徴とする無線基地局。
【請求項２】
前記第１リソース割り当てクラスは、１つのサブフレームにおける連続する複数のリソースブロックを一定時間間隔で固定的に割り当てるリソース割り当てクラスであり、
前記第２リソース割り当てクラスは、連続する複数のサブフレームにおけるリソースブロックを一定時間間隔で固定的に割り当てるリソース割り当てクラスであることを特徴とする請求項１に記載の無線基地局。
【請求項３】
前記第１リソース割り当てクラスに割り当て可能な無線リソース群は、前記第２リソース割り当てクラスの初回送信パケットに割り当てられるサブフレーム又は該サブフレームの一定時間間隔後で再送パケットに割り当てられるサブフレームであってバンドル内周波数ホッピングが適用されないサブフレームを含まないように設定されることを特徴とする請求項１又は請求項２に記載の無線基地局。
【請求項４】
前記第１リソース割り当てクラスに割り当て可能な無線リソース群は、前記第１リソース割り当てクラスの再送パケットに割り当てられるリソースブロックと前記第２リソース割り当てクラスの初回送信パケットに割り当てられるリソースブロックとが重複しないように設定されることを特徴とする請求項１から請求項３のいずれかに記載の無線基地局。
【請求項５】
前記第１リソース割り当てクラスに割り当て可能な無線リソース群は、前記第１リソース割り当てクラスの再送パケットに割り当てられるリソースブロックと前記第２リソース割り当てクラスの再送パケットに割り当てられるリソースブロックとが重複しないように設定されることを特徴とする請求項１から請求項４のいずれかに記載の無線基地局。
【請求項６】
前記第１リソース割り当てクラスに割り当て可能な無線リソース群は、前記第２リソース割り当てクラスの初回送信パケット又は再送パケットに割り当てられるサブフレームにおいて該第２リソース割り当てクラスに優先的に割り当てられる所定数のリソースブロックを含まないように設定されることを特徴とする請求項３から請求項５のいずれかに記載の無線基地局。
【請求項７】
前記割り当て部は、前記第１リソース割り当てクラスに割り当て可能な無線リソース群における空きリソースを、他の無線基地局又は他のセクタとは異なる周波数方向から順に前記無線通信端末に割り当てることを特徴とする請求項１から請求項６のいずれかに記載の無線基地局。
【請求項８】
所定の時間単位であるサブフレームと所定の周波数帯域単位であるリソースブロックとから構成される無線リソースを無線通信端末に割り当てる無線リソース割り当て方法であって、
１つのサブフレームにおける連続する複数のリソースブロックを割り当てる第１リソース割り当てクラスと、連続する複数のサブフレームにおけるリソースブロックを割り当てる第２リソース割り当てクラスとのうちのいずれかから、前記無線通信端末のリソース割り当てクラスを決定する工程と、
決定された前記リソース割り当てクラスに割り当て可能な無線リソース群における空きリソースを、所定の周波数方向から順に前記無線通信端末に割り当てる工程と、を有し、
前記第１リソース割り当てクラスに割り当て可能な無線リソース群は、前記第２リソース割り当てクラスの初回送信パケットに割り当てられるサブフレーム又は該サブフレームの一定時間間隔後で再送パケットに割り当てられるサブフレームを含まないように設定されることを特徴とする無線リソース割り当て方法。
【発明の詳細な説明】
【技術分野】
【０００１】
本発明は、無線リソースの割り当てパターンが異なる複数の無線通信端末に対して無線リソースを割り当てる無線基地局及び無線リソース割り当て方法に関する。
【背景技術】
【０００２】
ＬＴＥ（Long  Term  Evolution）では、下りリンクの変調方式として、ＯＦＤＭＡ（Orthogonal  Frequency  Division  Multiple  Access）が用いられ、上りリンクの変調方式として、ＳＣ−ＦＤＭＡ（Single-Carrier  Frequency-Division  Multiple  Access）が用いられる。また、ＬＴＥでは、１サブフレーム毎の瞬時の受信品質に基づいて時間方向及び周波数方向の無線リソースを動的に割り当てるダイナミックスケジューリングを用いて、高速パケット通信を実現している（例えば、非特許文献１）。
【０００３】
一方で、ダイナミックスケジューリングでは、受信品質のフィードバックや割り当てた無線リソースの通知などのための制御情報を、１サブフレーム毎に送信する必要がある。このため、ＶｏＩＰ（Voice  over  IP）のように、ペイロードサイズの小さいパケットデータが周期的に発生するパケット通信にダイナミックスケジューリングを用いると、制御オーバヘッドが相対的に増加し、伝送効率が低下する。そこで、周波数方向の無線リソースを一定時間間隔で固定的に割り当てるパーシステントスケジューリングが提案されている（例えば、非特許文献２）。
【０００４】
図１３は、パーシステントスケジューリングを用いた無線リソースの割り当て例を示す図である。図１３に示すように、パーシステントスケジューリングでは、無線通信端末に対して、１サブフレームにおける１つ又は複数のリソースブロック（図１３では、２リソースブロック）が一定時間間隔Ｔ０で固定的に割り当てられる。パーシステントスケジューリングでは、ダイナミックスケジューリングのように１サブフレーム毎に制御情報を送信する必要がないため、制御オーバヘッドを大幅に低減できる。
【０００５】
ここで、サブフレームとは、所定の時間単位であり、１サブフレームは、例えば、１ｍｓの時間長を有する。また、リソースブロックとは、所定の周波数帯域単位であり、１リソースブロックは、例えば、１８０ｋＨｚの周波数帯域（１２サブキャリア）を有する。パーシステントスケジューリングでは、このようなサブフレームとリソースブロックとから構成される無線リソースが、一定時間間隔Ｔ０で固定的に割り当てられる。
【０００６】
また、セル端に位置するなど受信品質の悪い無線通信端末の受信品質を改善する方法として、サブフレームバンドリングが仕様化されている（例えば、非特許文献３）。サブフレームバンドリングでは、通常１サブフレームで送信される１パケットデータを、連続する複数のサブフレームに分散させて送信するので、受信品質を向上させることができる。
【０００７】
さらに、このサブフレームバンドリングを適用する無線通信端末に対して、上述のパーシステントスケジューリングを行うことも検討されている。図１４は、サブフレームバンドリングを適用する無線通信端末に対するパーシステントスケジューリングを用いた無線リソースの割り当て例を示す図である。図１４に示すように、サブフレームバンドリングを適用する無線通信端末に対しては、連続する複数のサブフレーム（図１４では、４サブフレーム）におけるリソースブロックが一定時間間隔Ｔ０で固定的に割り当てられる。
【０００８】
ここで、上述のサブフレームバンドリングを適用する無線通信端末と、サブフレームバンドリングを適用しない無線通信端末との双方に対してパーシステントスケジューリングを行う場合、一定時間間隔で固定的に割り当てられる無線リソースの割り当てパターンが異なるため、いずれの無線通信端末にも割り当て不可能な空きリソースが多数生じてしまう。
【０００９】
例えば、図１５に示すように、サブフレームバンドリングを適用する無線通信端末に対して、連続する４サブフレームにおいてリソースブロックが一定時間間隔Ｔ０で固定的に割り当てられる割り当てパターンが適用され、サブフレームバンドリングを適用しない無線通信端末に対して１サブフレームにおいて連続する２リソースブロックが一定時間間隔Ｔ０で固定的に割当たれる割り当てパターンが適用される場合、時間方向に連続する４サブフレーム、或いは、周波数方向に連続する２リソースブロックを確保できず、いずれの無線通信端末にも割り当て不可能な空きリソースが多数生じることになってしまう。
【００１０】
上記では、上述のサブフレームバンドリングを適用する無線通信端末と、サブフレームバンドリングを適用しない無線通信端末との双方に対してパーシステントスケジューリングを行う場合の例を示したが、ダイナミックスケジューリングを適用する場合にも、サブフレームバンドリングを適用する無線通信端末とサブフレームバンドリングを適用しない無線通信端末との間では無線リソースの割り当てパターンが異なるため、いずれの無線通信端末にも割り当て不可能な空きリソースが多数生じる場合もある。
【先行技術文献】
【非特許文献】
【００１１】
【非特許文献１】３ＧＰＰ，ＴＳ３６．２１３
【非特許文献２】３ＧＰＰ，Ｒ１−０６００９９
【非特許文献３】３ＧＰＰ，ＴＳ３６．３２１
【発明の概要】
【発明が解決しようとする課題】
【００１２】
以上のように、サブフレームバンドリングを適用する無線通信端末とサブフレームバンドリングを適用しない無線通信端末のように、無線リソースの割り当てパターンが異なる複数の無線通信端末が混在する場合、いずれの無線通信端末にも割り当て不可能な空きリソースが生じてしまうという問題点があった。
【００１３】
ところで、ＬＴＥの上りリンクにおけるＨＡＲＱ（Hybrid  Automatic  Repeat  reQuest）では、初回送信パケットから一定時間間隔後に再送パケットを送信するＳｙｎｃｈｒｏｎｏｕｓ  ＨＡＲＱも検討されている。このようなＳｙｎｃｈｒｏｎｏｕｓ  ＨＡＲＱでは初回送信パケットに割り当てられた無線リソースから一定時間間隔後の無線リソースが再送パケットに固定的に割り当てられることになる。
【００１４】
しかしながら、無線リソースの割り当てパターンが異なる複数の無線通信端末が混在する場合において、初回送信パケットに割り当てられた無線リソースから一定時間間隔後の無線リソースが再送パケットに固定的に割り当てられると、いずれの無線通信端末にも割り当て不可能な空きリソースがさらに増加するという問題点があった。
【００１５】
本発明は、かかる点に鑑みてなされたものであり、無線リソースの割り当てパターンが異なる複数の無線通信端末が混在する場合に、初回送信パケットに割り当てられた無線リソースから一定時間間隔後の無線リソースが再送パケットに固定的に割り当てられても、いずれの無線通信端末にも割り当て不可能な空きリソースを減少させることができ、システムスループットの低下を防止可能な無線基地局及び無線リソース割り当て方法を提供することを目的とする。
【課題を解決するための手段】
【００１６】
本発明の無線基地局は、所定の時間単位であるサブフレームと所定の周波数帯域単位であるリソースブロックとから構成される無線リソースを無線通信端末に割り当てる無線基地局であって、１つのサブフレームにおける連続する複数のリソースブロックを割り当てる第１リソース割り当てクラスと、連続する複数のサブフレームにおけるリソースブロックを割り当てる第２リソース割り当てクラスとのうちのいずれかから、前記無線通信端末のリソース割り当てクラスを決定する決定部と、決定された前記リソース割り当てクラスに割り当て可能な無線リソース群における空きリソースを、所定の周波数方向から順に前記無線通信端末に割り当てる割り当て部と、を具備し、前記第１リソース割り当てクラスに割り当て可能な無線リソース群は、前記第２リソース割り当てクラスの初回送信パケットに割り当てられるサブフレーム又は該サブフレームから一定時間間隔後で再送パケットに割り当てられるサブフレームを含まないように設定されることを特徴とする。
【００１７】
この構成によれば、各リソース割り当てクラスに割り当て可能な無線リソース群が区別されており、第１リソース割り当てクラスに割り当て可能な無線リソース群が、第２リソース割り当てクラスの初回送信パケット又は再送パケットに割り当てられるサブフレームを含まないように設定される。したがって、第１及び第２リソース割り当てクラスの無線通信端末が混在する場合に、初回送信パケットに割り当てられた無線リソースから一定時間間隔後の無線リソースに再送パケットが割り当てられても、いずれの無線通信端末にも割り当て不可能な空きリソースの増加を防止でき、システムスループットを向上させることができる。
【００１８】
本発明の無線リソース割り当て方法は、所定の時間単位であるサブフレームと所定の周波数帯域単位であるリソースブロックとから構成される無線リソースを割り当てる無線リソース割り当て方法であって、１つのサブフレームにおける連続する複数のリソースブロックを割り当てる第１リソース割り当てクラスと、連続する複数のサブフレームにおけるリソースブロックを割り当てる第２リソース割り当てクラスとのうちのいずれかから、前記無線通信端末のリソース割り当てクラスを決定する工程と、決定された前記リソース割り当てクラスに割り当て可能な無線リソース群における空きリソースを、所定の周波数方向から順に前記無線通信端末に割り当てる工程と、を有し、前記第１リソース割り当てクラスに割り当て可能な無線リソース群は、前記第２リソース割り当てクラスの初回送信パケット又は再送パケットに固定的に割り当てられるサブフレームを含まないように設定されることを特徴とする。
【発明の効果】
【００１９】
本発明によれば、無線リソースの割り当てパターンが異なる複数の無線通信端末が混在する場合に、初回送信パケットに割り当てられた無線リソースから一定時間間隔後の無線リソースに再送パケットが固定的に割り当てられても、いずれの無線通信端末にも割り当て不可能な空きリソースを減少させることができ、システムスループットの低下を防止可能な無線基地局及び無線リソース割り当て方法を提供できる。
【図面の簡単な説明】
【００２０】
【図１】本実施の形態に係る無線通信システムの構成図である。
【図２】本実施の形態に係る無線基地局の機能ブロック図である。
【図３】本実施の形態に係る非サブフレームバンドリングクラスの割り当てパターンを示す図である。
【図４】本実施の形態に係るサブフレームバンドリングクラスの割り当てパターンを示す図である。
【図５】本実施の形態に係る無線リソース群の設定例を示す図である。
【図６】本実施の形態に係る無線リソース割り当て方法を示すフローチャートである。
【図７】変更例１に係る無線リソース群の設定例を示す図である。
【図８】変更例２に係る無線リソース群の設定例を示す図である。
【図９】変更例３に係る無線リソース群の設定例を示す図である。
【図１０】変更例４に係る無線リソース群の設定例を示す図である。
【図１１】変更例５に係る無線リソース群の設定例を示す図である。
【図１２】変更例６に係る無線リソース群の設定例を示す図である。
【図１３】従来の無線リソースの割り当て例を示す図である。
【図１４】従来の無線リソースの割り当て例を示す図である。
【図１５】従来の無線リソースの割り当て例を示す図である。
【発明を実施するための形態】
【００２１】
以下、本発明の実施の形態について説明する。なお、以下では、パーシステントスケジューリングにおいてＳｙｎｃｈｒｏｎｏｕｓ  ＨＡＲＱを適用する場合を中心に説明を行うが、ダイナミックスケジューリングにおいてＳｈｙｎｃｈｒｏｎｏｕｓ  ＨＡＲＱを適用する場合にも適用可能である。なお、ダイナミックスケジューリングの場合には一定時間間隔でサブフレームバンドリングクラスの初回送信パケット用の送信タイミング（サブフレーム）を設定することで適用可能である。
【００２２】
＜本実施の形態＞
図１は、本実施の形態に係る無線通信システムの全体概略構成図である。図１に示すように、無線通信システムは、無線基地局１０と、無線基地局１０の形成するセルＣ内で無線基地局１０と通信を行う無線通信端末２０ａ及び２０ｂとから構成される。
【００２３】
本実施の形態に係る無線通信システムでは、一例として無線基地局１０は、パーシステントスケジューリングを用いて無線通信端末２０ａ及び２０ｂに無線リソースを割り当てる。パーシステントスケジューリングでは、サブフレームとリソースブロックとから構成される無線リソースが一定時間間隔で固定的に無線通信端末２０ａ及び２０ｂに割り当てられる。
【００２４】
ここで、サブフレームとは、所定の時間単位であり、１サブフレームは、例えば、１ｍｓの時間長を有する。また、リソースブロックとは、所定の周波数帯域単位であり、１リソースブロックは、例えば、１８０ｋＨｚの周波数帯域（１２サブキャリア）を有する。パーシステントスケジューリングでは、１サブフレームが時間方向の無線リソースの最小割り当て単位であり、１リソースブロックが周波数方向の無線リソースの最小割り当て単位である。無線基地局１０は、上りリンクＵＬ及び下りリンクＤＬのそれぞれで割り当てられた無線リソースを用いて、無線通信端末２０ａ及び２０ｂと、ＶｏＩＰデータなどを送受信する。
【００２５】
また、本実施の形態に係る無線通信システムでは、Ｓｙｎｃｈｒｏｎｏｕｓ  ＨＡＲＱが適用される。Ｓｙｎｃｈｒｏｎｏｕｓ  ＨＡＲＱでは、後述するように、再送パケットが初回送信パケットの一定時間間隔後に送信される。また、再送パケットの無線リソースは、初回送信パケットが割り当てられた無線リソースの一定時間間隔後に固定的に割り当てられる。このため、無線基地局１０は、無線通信端末２０ａ及び２０ｂに対して再送パケット用の無線リソースの割り当て情報を送信する必要がなく、制御オーバヘッドを大幅に低減できる。
【００２６】
なお、図１では、説明の便宜上、２つの無線通信端末２０ａ及び２０ｂのみを図示したが、無線基地局は、３つ以上の無線通信端末２０と通信を行うこともできる。また、無線基地局１０は、無線通信端末２０とダイナミックスケジューリングを用いた通信を行うこともできる。以下、無線通信端末２０ａ及び２０ｂを区別しない場合、無線通信端末２０と総称する。また、Ｓｙｎｃｈｒｏｎｏｕｓ  ＨＡＲＱを上りリンクＵＬで適用するものとして説明を行うが、下りリンクＤＬにも適宜適用可能である。また、パーシステントスケジューリングが適用されない場合においても、適用可能である。
【００２７】
次に、本実施の形態に係る無線基地局１０の構成について説明する。無線基地局１０は、物理的には、アンテナ、変復調器、ＣＰＵ、メモリなどを備えた装置である。図２は、本実施の形態に係る無線基地局１０の機能構成図である。
【００２８】
図２に示すように、無線基地局１０は、受信部１１、ユーザ情報取得部１２、リソース割り当てクラス決定部１３（決定部）、リソース設定部１４、リソース割り当て部１５（割り当て部）、送信部１６を具備する。
【００２９】
受信部１１は、無線通信端末２０からの上りリンク信号を受信し、復調、復号処理などを行う。また、受信部１１は、受信した上りリンク信号の受信品質を測定する。
【００３０】
ユーザ情報取得部１２は、無線通信端末２０のユーザ情報を取得する。ユーザ情報とは、無線通信端末２０のリソース割り当てクラス（後述）を決定するための情報であり、例えば、受信電力、受信ＳＩＮＲ（Signal-to-Interference  and  Noise  power  Ratio）、伝搬減衰などの受信品質や、音声、データ、ビデオなどのトラフィックを識別するトラフィック種別、送信パケットが初回送信パケットであるか再送パケットであるかを識別する再送識別情報などを含む。例えば、ユーザ情報取得部１２は、受信部１１で測定された上りリンク信号の受信品質を取得する。また、ユーザ情報取得部１２は、無線基地局１０の上位装置又は無線通信端末２０からの通知により、上りパケットのトラフィック種別を取得してもよい。
【００３１】
リソース割り当てクラス決定部１３は、無線通信端末２０のリソース割り当てクラスを決定する。ここで、リソース割り当てクラスとは、一定時間間隔で固定的に割り当てられる無線リソースの割り当てパターンに応じて区別されるものである。リソース割り当てクラスは、非サブフレームバンドリングクラス（第１リソース割り当てクラス）とサブフレームバンドリングクラス（第２リソース割り当てクラス）とに区別される。
【００３２】
非サブフレームバンドリングクラスでは、１つのサブフレームにおける連続する複数のリソースブロックが一定時間間隔で固定的に無線通信端末２０に割り当てられる。図３は、非サブフレームバンドリングクラスの割り当てパターンを示す図である。図３では、１つのサブフレームにおいて連続する２つのリソースブロックが一定時間間隔Ｔ０（例えば、２０ｍｓ）で固定的に無線通信端末２０に割り当てられる。無線通信端末２０からの初回送信パケットは、一定時間間隔Ｔ０で送信され、再送パケットは、初回送信パケットの一定時間間隔Ｔ１（以下、再送間隔Ｔ１という）後に送信される。再送間隔Ｔ１は、例えば、８ｍｓである。
【００３３】
また、図３では、サブフレーム間周波数ホッピングが適用されている。サブフレーム間周波数ホッピングとは、複数のサブフレーム間において中心周波数を基準として対称となるリソースブロックに周波数軸上の割り当てを変更することをいう。図３では、初回送信パケット及び再送パケットが割り当てられるサブフレーム間において、サブフレーム間周波数ホッピングが適用される。このため、再送パケットでは、周波数ダイバーシチ効果による特性改善が期待される。なお、サブフレーム間周波数ホッピングを適用せずに、初回送信パケット及び再送パケット都に対して同じ周波数のリソースブロックが割り当てられてもよい。
【００３４】
一方、サブフレームバンドリングクラスでは、連続する複数のサブフレームにおけるリソースブロックが一定時間間隔で固定的に無線通信端末２０に割り当てられる。図４は、サブフレームバンドリングクラスの割り当てパターンを示す図である。図４では、連続する４サブフレームにおけるリソースブロックが一定時間間隔Ｔ０（例えば、２０ｍｓ）で固定的に無線通信端末２０に割り当てられる。無線通信端末２０からの初回送信パケットは、一定時間間隔Ｔ０で送信され、再送パケットは、初回送信パケットから一定時間間隔Ｔ２（以下、再送間隔Ｔ２という）後に送信される。再送間隔Ｔ２は、例えば、１６ｍｓであり、再送間隔Ｔ１よりも長く設定される。
【００３５】
また、図４では、バンドル内周波数ホッピングが適用されている。バンドル内周波数ホッピングとは、サブフレームバンドリングにおける連続する４サブフレームを送信単位とする１バンドル内において１サブフレームおきに中心周波数を基準として対称となるリソースブロックに周波数軸上の割り当てを変更することをいう。図４において、左から奇数番目のサブフレームでは、バンドル内周波数ホッピングが適用されていない。一方、偶数番目のサブフレームでは、バンドル内周波数ホッピングが適用されている。このため、偶数番目のサブフレームでは、最低周波数のリソースブロックの代わりに、最高周波数のリソースブロックが無線通信端末２０に割り当てられる。なお、偶数番目のサブフレームにおいてバンドル内周波数ホッピングが適用されなくてもよい。この場合、連続する４サブフレームで同じ周波数のリソースブロックが無線通信端末２０に割り当てられる。
【００３６】
リソース割り当てクラス決定部１３は、ユーザ情報取得部１２によって取得されたユーザ情報に基づいて、上述の非サブフレームバンドリングクラスとサブフレームバンドリングクラスとのいずれかに、無線通信端末２０のリソース割り当てクラスを決定する。具体的には、リソース割り当てクラス決定部１３は、ユーザ情報取得部１２によって取得された上りリンク信号の受信品質が所定の閾値以上であるか否かに基づいて、無線通信端末２０のリソース割り当てクラスを決定してもよい。例えば、リソース割り当てクラス決定部１３は、当該受信品質が所定の閾値以上であれば、非サブフレームバンドリングクラスとし、当該受信品質が所定の閾値未満であれば、サブフレームバンドリングクラスとしてもよい。
【００３７】
また、リソース割り当てクラス決定部１３は、ユーザ情報取得部１２で取得されたトラフィック種別に基づいて、無線通信端末２０のリソース割り当てクラスを決定してもよい。例えば、リソース割り当てクラス決定部１３は、当該トラフィック種別がデータであれば、非サブフレームバンドリングクラスとし、当該トラフィック種別が音声であれば、サブフレームバンドリングクラスしてもよい。
【００３８】
リソース設定部１４は、各リソース割り当てクラスに割り当て可能な無線リソース群を予め設定する。具体的には、リソース設定部１４は、非サブフレームバンドリングクラスに割り当て可能な無線リソース群をサブフレームバンドリングクラスの初回送信パケット又は再送パケットに固定的に割り当てられるサブフレームを含まないように設定する。
【００３９】
図５は、本実施の形態に係る無線リソース群の設定例を示す図である。なお、図５においては、一例として、時間方向の２０サブフレームと周波数方向の２３リソースブロックから構成される無線リソース群が図示される。
【００４０】
図５において、周波数方向の２３リソースブロックには、最低周波数のリソースブロックを始点として周波数が低い順にＲＢ１〜ＲＢ２３のリソースブロックインデックスが付与されている。なお、図示しないが、最高周波数のリソースブロックを始点として周波数が高い順にＲＢ１〜ＲＢ２３のリソースブロックインデックスが付与されてもよい。以下、説明の便宜上、リソースブロックインデックス値が“ｎ（ｎは、正の整数）”のリソースブロックをリソースブロックＲＢｎと称する。
【００４１】
また、図５においては、無線リソースが固定的に割り当てられる一定時間間隔Ｔ０（図３及び４参照）が２０サブフレームであるものとし、それぞれ＃１〜＃２０のサブフレームインデックスが付与されている。以下、説明の便宜上、サブフレームインデックス値が“ｍ（ｍは、正の整数）”のサブフレームをサブフレーム＃ｍと称する。また、図示しないが、サブフレーム＃２１以降においては、一定時間間隔Ｔ０（例えば、２０サブフレーム）で、サブフレーム＃１〜＃２０と同じように各リソース割り当てクラスに割り当て可能な無線リソース群が設定される。
【００４２】
図５において、リソース設定部１４は、サブフレームバンドリングクラスに割り当て可能な無線リソース群（以下、ＳＦＢ（SubFrame  Bundling）リソース群という）として、サブフレーム＃１〜＃４とリソースブロックＲＢ１〜ＲＢ２３とから構成される無線リソースを設定する。なお、ＳＦＢリソース群は、図５に示すものに限られるものではなく、所定数のサブフレームだけシフトされてもよい。例えば、２サブフレームだけシフトする場合、ＳＦＢリソース群として、サブフレーム＃３〜＃６とリソースブロックＲＢ１〜ＲＢ２３とから構成される無線リソースが設定されてもよい。
【００４３】
一方、図５において、リソース設定部１４は、非サブフレームバンドリングクラスに割り当て可能な無線リソース群（以下、非ＳＦＢ（SubFrame  Bundling）リソース群という）として、サブフレーム＃５〜＃１６とリソースブロックＲＢ１〜ＲＢ２３とから構成される無線リソースを設定する。サブフレームバンドリングクラスの再送間隔Ｔ２を１６サブフレームとすると、図５に示すように、サブフレームバンドリングクラスの再送パケットは、サブフレーム＃１７〜＃２０に割り当てられる。このため、非ＳＦＢリソース群を構成するサブフレームとしては、サブフレーム＃５〜＃１６（すなわち、サブフレームバンドリングクラスの初回送信パケット又は再送パケットに割り当てられるサブフレーム＃１〜＃４、＃１７〜＃２０以外のサブフレーム）が設定される。
【００４４】
以上のように、リソース設定部１４は、非ＳＦＢリソース群として、サブフレームバンドリングクラスの初回送信パケット又は再送パケットに割り当てられるサブフレーム以外のサブフレーム（図５では、サブフレーム＃５〜＃１６）と所定数のリソースブロック（図５では、リソースブロックＲＢ１〜ＲＢ２３）とから構成される無線リソースを設定する。
【００４５】
リソース割り当て部１５は、リソース割り当てクラス決定部１３でリソース割り当てクラスが決定された無線通信端末２０に対して、決定されたリソース割り当てクラスに割り当て可能な無線リソース群における空きリソースを、所定の周波数方向から順に割り当てる。
【００４６】
具体的には、リソース割り当て部１５は、サブフレームバンドリングクラスの無線通信端末２０に対して、リソース設定部１４で予め設定されたＳＦＢリソース群における空きリソースを割り当てる。例えば、図５では、ＳＦＢリソース群として、サブフレーム＃１〜＃４とリソースブロックＲＢ１〜ＲＢ２３とから構成される無線リソースが設定されている。このため、リソース割り当て部１５は、当該ＳＦＢリソース群における空きリソースを、低周波数のリソースブロック（図５では、リソースブロックインデックス値が最小のリソースブロック）から順に無線通信端末２０に割り当てる。なお、リソース割り当て部１５は、高周波数のリソースブロック（図５では、リソースブロックインデックス値が最大のリソースブロック）から順に無線通信端末２０に割り当ててもよい。なお、図５では、リソース割り当て部１５は、サブフレーム＃２及び＃４でバンドル内周波数ホッピングを適用しているが、適用しなくてもよい。
【００４７】
一方、リソース割り当て部１５は、非サブフレームバンドリングクラスの無線通信端末２０に対して、リソース設定部１４で予め設定された非ＳＦＢリソース群における空きリソースを割り当てる。例えば、図５では、非ＳＦＢリソース群として、サブフレーム＃５〜＃１６とリソースブロックＲＢ１〜ＲＢ２３とから構成される無線リソースが設定されている。このため、リソース割り当て部１５は、当該非ＳＦＢリソース群の中の空きリソースを、低周波数のリソースブロック（図５では、リソースブロックインデックス値が最小のリソースブロック）から順に無線通信端末２０に割り当てる。なお、リソース割り当て部１５は、高周波数のリソースブロック（図５では、リソースブロックインデックス値が最大のリソースブロック）から順に無線通信端末２０に割り当ててもよい。
【００４８】
送信部１６は、無線通信端末２０に対する下りリンク信号に対して変調、符号化処理などを行い、送信する。具体的には、送信部１６は、リソース割り当て部１５による上りリンクＵＬのリソース割り当て情報を無線通信端末２０に送信する。また、送信部１６は、受信部１１によって受信された上りリンク信号に対する送達確認信号（ＡＣＫ／ＮＡＣＫ）を無線通信端末２０に送信する。
【００４９】
次に、以上のように構成された本実施の形態に係る無線通信システムの動作について説明する。図６は、本実施の形態に係る無線リソース割り当て方法を示すフローチャートである。なお、以下では、上りリンクＵＬの無線リソース割り当て方法を説明するが、下りリンクＤＬにおいてＳｙｎｃｈｒｏｎｏｕｓ  ＨＡＲＱが適用される場合、下りリンクＤＬにも適宜適用可能である。
【００５０】
また、以下のフローにおいては、一例として、図５に示すように、ＳＦＢリソース群を構成するサブフレーム及びリソースブロックとして、サブフレーム＃１〜＃４及びリソースブロックＲＢ１〜ＲＢ２３が設定されているものとする。同様に、非ＳＦＢリソース群を構成するサブフレーム及びリソースブロックとして、サブフレーム＃５〜＃１６及びリソースブロックＲＢ１〜ＲＢ２３が設定されているものとする。なお、かかる設定は、一定時間間隔Ｔ０（図５では、２０サブフレーム）で繰り返されるものとする。
【００５１】
また、以下のフローにおいては、サブフレームバンドリングクラスの無線通信端末２０に対しては、連続する４サブフレームにおけるリソースブロックを固定的に割り当てる割り当てパターンが適用されるものとする。また、非サブフレームバンドリングクラスの無線通信端末２０に対しては、１サブフレームにおける連続する２リソースブロックを固定的に割り当てる割り当てパターンが適用されるものとする。
【００５２】
図６に示すように、ユーザ情報取得部１２は、無線通信端末２０のユーザ情報を取得する（ステップＳ１０１）。上述のように、ユーザ情報には、受信品質、トラフィック種別、再送識別情報などが含まれる。
【００５３】
リソース割り当てクラス決定部１３は、ユーザ情報取得部１２によって取得されたユーザ情報に基づいて、無線通信端末２０のリソース割り当てクラスを決定する（ステップＳ１０２）。例えば、リソース割り当てクラス決定部１３は、ユーザ情報取得部１２によって取得された上りリンク信号の受信品質が所定の閾値以上である場合は非サブフレームバンドリングクラスと決定し、当該受信品質が所定の閾値未満である場合はサブフレームバンドリングクラスと決定してもよい。
【００５４】
リソース割り当て部１５は、無線通信端末２０のリソース割り当てクラスがサブフレームバンドリングクラス又は非サブフレームバンドリングクラスのいずれであるかを判定する（ステップＳ１０３）。
【００５５】
無線通信端末２０のリソース割り当てクラスがサブフレームバンドリングクラスである場合、リソース割り当て部１５は、ＳＦＢリソース群の中から空きリソースを無線通信端末２０に割り当てる（ステップＳ１０４）。具体的には、リソース割り当て部１５は、無線通信端末２０に対するリソース割り当て要求に応じて、連続する複数のサブフレームからなるリソースブロックを初回送信パケットに割り当てる。また、リソース割り当て部１５は、初回送信パケットから再送間隔Ｔ１後の連続する複数のサブフレームからなるリソースブロックを再送パケットに割り当てる。
【００５６】
例えば、図５においては、リソース割り当て部１５は、サブフレームバンドリングクラスの無線通信端末２０の初回送信パケットに、ＳＦＢリソース群のサブフレーム＃１〜＃４を割り当て、当該サブフレーム＃１〜＃４における最低周波数のリソースブロックから順に空きリソースブロックを割り当てる。ここで、サブフレーム＃１及び＃３では、バンドル内周波数ホッピングが適用されないので、最低周波数のリソースブロックＲＢ１が当該初回送信パケットに割り当てられる。一方、サブフレーム＃２及び＃４では、バンドル内周波数ホッピングが適用されるので、リソースブロックＲＢ１に周波数軸上で対称となるリソースブロックＲＢ２３が当該初回送信パケットに割り当てられる。
【００５７】
また、図５においては、リソース割り当て部１５は、上記初回送信パケットの再送パケットに、上記初回送信パケットから再送間隔Ｔ１後のサブフレーム＃１７〜＃２０を割り当て、当該サブフレーム＃１７〜＃２０における最低周波数のリソースブロックから順に空きリソースブロックを割り当てる。ここで、初回送信パケットと同様に、サブフレーム＃１７及び＃２０では、バンドル内周波数ホッピングが適用されないので、最低周波数のリソースブロックＲＢ１が当該再送パケットに割り当てられる。一方、サブフレーム＃１７及び＃２０では、バンドル内周波数ホッピングが適用されるので、リソースブロックＲＢ１に周波数軸上で対称となるリソースブロック２３が当該再送パケットに割り当てられる。
【００５８】
このように、図５において、リソース割り当て部１５は、初回送信パケットに無線リソースを割り当てる際に、初回送信パケットから再送間隔Ｔ１後の無線リソースを再送パケットに固定的に割り当てる。このため、無線通信端末２０に再送パケットの無線リソースの割り当て情報を通知する必要がなく、制御オーバヘッドを削減できる。
【００５９】
また、例えば、図５のサブフレーム＃５において、サブフレームバンドリングクラスの無線通信端末２０に対するリソース割り当て要求が発生するとする。かかる場合、リソース割り当て部１５は、非ＳＦＢリソース群を構成するサブフレーム＃５〜＃１６を割り当てずに、次の一定時間間隔Ｔ０でＳＦＢリソース群を構成するサブフレーム＃２１〜＃２４を割り当てる。そして、リソース割り当て部１５は、サブフレーム＃２１〜＃２４の空きリソースブロックを無線通信端末２０に割り当てる。この割り当てによると、無線通信端末２０のリソース割り当てクラスに関係なく、サブフレーム＃５以降で最も時間的に早いサブフレーム（例えば、サブフレーム＃５）に割り当てる場合と比べて、１６サブフレームの遅延が生じてしまう。一方で、サブフレームバンドリングクラスと非サブバンドリングクラスとが混在する場合であっても、両クラスに対するサブフレームの割り当て範囲が区別されているので、効率良く無線リソースを割り当てることができる。この結果、いずれの無線通信端末２０にも割り当て不可能な無線リソースが生じるのを防止できる。
【００６０】
一方、無線通信端末２０のリソース割り当てクラスが非サブフレームバンドリングクラスである場合、リソース割り当て部１５は、非ＳＦＢリソース群の中から空きリソースを無線通信端末２０に割り当てる（ステップＳ１０５）。具体的には、リソース割り当て部１５は、無線通信端末２０に対するリソース割り当て要求に応じて、１サブフレームにおける連続する複数のリソースブロックを初回送信パケットに割り当てる。また、リソース割り当て部１５は、初回送信パケットから再送間隔Ｔ２後のサブフレームにおける連続する複数のリソースブロックを再送パケットに割り当てる。なお、リソース割り当て部１５は、図３で説明したようにサブフレーム間周波数ホッピングを適用して再送パケットに対するリソース割り当てを行ってもよい。
【００６１】
例えば、図５においては、リソース割り当て部１５は、非サブフレームバンドリングクラスの無線通信端末２０の初回送信パケットに、非ＳＦＢリソース群のサブフレーム＃５〜＃１６で時間的に最も早いサブフレーム或いは空きリソースブロックが最も多いサブフレームを割り当てる。また、リソース割り当て部１５は、割り当てられたサブフレームで最低周波数のリソースブロックから順に空きリソースブロックを割り当てる。このため、非ＳＦＢリソース群を効率的に使用でき、いずれの無線通信端末２０にも割り当て不可能な無線リソースが生じるのを防止できる。
【００６２】
本実施の形態に係る無線通信システムによれば、サブフレームバンドリングクラスと非サブフレームバンドリングクラスとが混在する場合であっても、両クラスに対するサブフレームの割り当て範囲が区別されているので、効率良く無線リソースを割り当てることができる。特に、非ＳＦＢリソース群には、サブフレームバンドリングクラスの初回送信パケット又は再送パケットに固定的に割り当てられるサブフレームが含まれない。このため、一定時間間隔で再送パケットの無線リソースが割り当てられる場合であっても、いずれの無線通信端末２０にも割り当て不可能な空きリソースを減少させることができ、システムスループットを向上させることができる。
【００６３】
また、サブフレームバンドリングクラスと非サブフレームバンドリングが混在する場合においては、パーシステントスケジューリングが適用されていない場合においても、本実施形態を適用可能である。例えば、サブフレームバンドリングクラスの割り当てが（＃１〜＃４）のタイミングである場合、当該の送信タイミング（＃１〜＃４）から、サブフレームバンドリングクラスの再送のタイミング（＃１７〜＃２０）の間となる、（＃５〜＃１６）のタイミングにおいて、リソース割り当て部１５は、空きリソースブロックを非サブフレームバンドリングクラスに割り当てることで、非ＳＦＢリソース群を効率的に使用でき、いずれの無線通信端末２０にも割り当て不可能な無線リソースが生じるのを防止できる。パーシステントスケジューリングを適用しない場合においては、一定時間間隔にサブフレームバンドリングクラスを優先的に割り当てる送信タイミングを設定することで、いずれの無線通信端末２０にも割り当て不可能な空きリソースをさらに減少させることができ、システムスループットを向上させることができる。
【００６４】
＜変更例１＞
次に、本実施の形態に係る無線通信システムの変更例１について、本実施の形態との相違点を中心に説明する。変更例１では、非ＳＦＢリソース群が、サブフレームバンドリングクラスの初回送信パケット又は再送パケットに固定的に割り当てられるサブフレームであってバンドル内周波数ホッピングが適用されないサブフレームを含まないように設定される点で、第１実施形態と異なる。図７は、変更例１に係る無線リソース群の設定例を示す図である。なお、図７では、サブフレームバンドリングクラスの無線通信端末２０に対しては、図５と同様に、無線リソースが割り当てられるものとする。
【００６５】
図７に示すように、無線基地局１０のリソース設定部１４は、サブフレームバンドリングクラスの初回送信パケット又は再送パケットに割り当てられるサブフレームであってバンドル内周波数ホッピングが適用されないサブフレームを含まないように、非ＳＦＢリソース群を設定する。
【００６６】
図７において、リソース設定部１４は、サブフレームバンドリングクラスの初回送信パケット又は再送パケットに割り当てられるサブフレーム＃１〜＃４、＃１７〜＃２０であってバンドル内周波数ホッピングが適用されないサブフレーム＃１及び＃３を含まないように、非ＳＦＢリソース群のサブフレームを設定する。すなわち、変更例１では、リソース設定部１４は、サブフレームバンドリングクラスの初回送信パケット又は再送パケットが割り当てられないサブフレーム＃５〜＃１６に加えて、サブフレーム＃１〜＃４、＃１７〜＃２０のうちバンドル内周波数ホッピングが適用されるサブフレーム＃２、＃４、＃１８及び＃２０を、非ＳＦＢリソース群として設定する。
【００６７】
ここで、図７のサブフレーム＃２及び＃４では、図５で説明したように、バンドル内周波数ホッピングが適用されている。このため、サブフレーム＃２及び＃４では、サブフレームバンドリングクラスの初回送信パケットに対して、リソースブロックＲＢ１に周波数軸上で対称となるリソースブロックＲＢ２３が割り当てられる。このように、バンドル内周波数ホッピングが適用されないサブフレーム＃１及び＃３において最低周波数のリソースブロックＲＢ１から順に空きリソースブロックが割り当てられる場合、バンドル内周波数ホッピングが適用されるサブフレーム＃２及び＃４においては、逆の周波数方向（すなわち、最高周波数のリソースブロックＲＢ２３）から順に空きリソースブロックが割り当てられる。このため、バンドル内周波数ホッピングが適用されるサブフレーム＃２及び＃４において、リソースブロックＲＢ２３とは周波数軸上で対称となるリソースブロックＲＢ１から所定数のリソースブロックを、非ＳＦＢリソース群に含めることが可能となる。
【００６８】
変更例１に係る無線通信システムによれば、サブフレームバンドリングクラスの初回送信パケット又は再送パケットに割り当てられるサブフレームであってもバンドル内周波数ホッピングが適用されるサブフレームは、非ＳＦＢリソース群として設定可能となる。したがって、非ＳＦＢリソース群を構成するサブフレームを増加させることができ、非サブフレームバンドリングクラスの無線通信端末２０に対するリソース割り当て要求が発生してから当該無線通信端末２０に無線リソースが割り当てられるまでの遅延時間を減少させることができる。
【００６９】
例えば、図７において、非サブフレームバンドリングクラスの無線通信端末２０に対するリソース割り当て要求がサブフレーム＃１で発生した場合に、リソース割り当て部１５は、サブフレーム＃２の空きリソースブロックを当該無線通信端末２０に割り当てることができる。この結果、サブフレーム＃５に割り当てられる場合と比較して、３サブフレーム分の遅延時間を減少できる。
【００７０】
以上のように、変更例１に係る無線通信システムによれば、サブフレームバンドリングクラスと非サブバンドリングクラスとが混在する場合であっても、非サブフレームバンドリングクラスに無線リソースを割り当てる際の遅延時間を増加させずに、いずれの無線通信端末２０にも割り当て不可能な空きリソースを減少させることができる。
【００７１】
また、サブフレームバンドリングクラスと非サブフレームバンドリングが混在する場合においては、パーシステントスケジューリングが適用されていない場合においても、変更例１を適用可能である。すなわち、サブフレームバンドリングクラスの割り当てがあったタイミングから、サブフレームバンドリングクラスの再送のタイミングまで、およびバンドル内ホッピングをするタイミングにおいて、リソース割り当て部１５は、最低周波数のリソースブロックから順に空きリソースブロックを非サブフレームバンドリングクラスに割り当てることで、非ＳＦＢリソース群を効率的に使用でき、いずれの無線通信端末２０にも割り当て不可能な無線リソースが生じるのを防止できる。パーシステントスケジューリングを適用しない場合においては、一定時間間隔にサブフレームバンドリングクラスを優先的に割り当てる送信タイミングを設定することで、いずれの無線通信端末２０にも割り当て不可能な空きリソースをさらに減少させることができ、システムスループットを向上させることができる。
【００７２】
＜変更例２＞
次に、本実施の形態に係る無線通信システムの変更例２について、変更例１との相違点を中心に説明する。変更例２では、非ＳＦＢリソース群が、非サブフレームバンドリングクラスの再送パケットに割り当てられるリソースブロックとサブフレームバンドリングクラスの初回送信パケットに割り当てられるリソースブロックとが重複しないように設定される点で、変更例１と異なる。図８は、変更例２に係る無線リソース群の設定例を示す図である。変更例２においては、２０サブフレーム間隔で送信を行うパーシステントスケジューリングではあるが、図８においては説明のため＃２４までを定義している。すなわち＃１は、＃２１に、＃２は、＃２２に、＃３は、＃２３に、＃４は、＃２４に、それぞれ相当する。
【００７３】
図８に示すように、無線基地局１０のリソース設定部１４は、非ＳＦＢリソース群を、非サブフレームバンドリングクラスの再送パケットに割り当てられるリソースブロックとサブフレームバンドリングクラスの初回送信パケットに割り当てられるリソースブロックとが重複しないように設定する。具体的には、リソース設定部１４は、非サブフレームバンドリングクラスの再送パケットが初回送信パケットの再送間隔Ｔ２後に送信される場合、上記重複が発生するサブフレームから再送間隔Ｔ２前のサブフレームを含まないように設定される。
【００７４】
図８において、非サブフレームバンドリングクラスの初回送信パケットがサブフレーム＃１４のリソースブロックＲＢ１及びＲＢ２に割り当てられる場合、当該再送パケットは、当該初回送信パケットから再送間隔Ｔ２（図８では、８ｍｓ）後のサブフレーム＃２２のリソースブロックＲＢ２２及びＲＢ２３に割り当てられる。一方、サブフレーム＃２２のリソースブロックＲＢ２３には、サブフレームバンドリングクラスの初回送信パケットも割り当てられる。このため、サブフレーム＃２２のリソースブロックＲＢ２３には、非サブフレームバンドリングクラスの再送パケットとサブフレームバンドリングクラスの初回送信パケットが重複して割り当てられてしまう。この場合、非サブフレームバンドリングクラスの再送パケットにダイナミックスケジューリングを用いたリソース割り当てを行わなければならないため、制御オーバヘッドが増加する。また、非サブフレームバンドリングクラスの初回送信パケットがサブフレーム＃１６のリソースブロックＲＢ１及びＲＢ２に割り当てられる場合にも、サブフレーム＃２４において同様の重複が発生する。
【００７５】
そこで、図８に示すように、リソース設定部１４は、上記重複が発生するサブフレーム＃２２及び＃２４から再送間隔Ｔ２前のサブフレーム＃１４及び＃１６を含まないように、非ＳＦＢリソース群を設定する。すなわち、変更例２では、リソース設定部１４は、サブフレームバンドリングクラスの初回送信パケット又は再送パケットが割り当てられないサブフレーム＃５〜＃１６のうち、上記サブフレーム＃１４及び＃１６以外のサブフレーム＃５〜＃１３、＃１５を、非ＳＦＢリソース群として設定する。なお、図９では、変更例１、２を組み合わせた例を示しているが、変更例２を単独で適用してもよい。
【００７６】
変更例２に係る無線通信システムによれば、非ＳＦＢリソース群が、非サブフレームバンドリングクラスの再送パケットに割り当てられるリソースブロックとサブフレームバンドリングクラスの初回送信パケットに割り当てられるリソースブロックとが重複しないように設定される。したがって、非サブフレームバンドリングクラスの再送パケットにダイナミックスケジューリングを用いる必要がなく、制御オーバヘッドの増加を防止できる。
【００７７】
以上のように、変更例２に係る無線通信システムによれば、サブフレームバンドリングクラスと非サブバンドリングクラスとが混在する場合であっても、非サブフレームバンドリングクラスの再送制御に係る制御オーバヘッドを増加させずに、いずれの無線通信端末２０にも割り当て不可能な空きリソースを減少させることができる。
【００７８】
また、サブフレームバンドリングクラスと非サブフレームバンドリングが混在する場合においては、パーシステントスケジューリングが適用されていない場合においても、変更例２を適用可能である。すなわち、サブフレームバンドリングクラスの初回送信パケットの送信タイミングからサブフレームバンドリングクラスの再送パケットの送信タイミングが決定されるため、非ＳＦＢリソース群が、非サブフレームバンドリングクラスの再送パケットに割り当てられるリソースブロックとサブフレームバンドリングクラスの初回送信パケットに割り当てられるリソースブロックとが重複しないように設定することが可能である。
【００７９】
＜変更例３＞
次に、本実施の形態に係る無線通信システムの変更例３について、変更例２との相違点を中心に説明する。変更例３では、非ＳＦＢリソース群が、非サブフレームバンドリングクラスの再送パケットに割り当てられるリソースブロックとサブフレームバンドリングクラスの再送パケットに割り当てられるリソースブロックとが重複しないように設定される点で、変更例２と異なる。図９は、変更例３に係る無線リソース群の設定例を示す図である。
【００８０】
図９に示すように、無線基地局１０のリソース設定部１４は、非ＳＦＢリソース群を、非サブフレームバンドリングクラスの再送パケットに割り当てられるリソースブロックとサブフレームバンドリングクラスの再送パケットに割り当てられるリソースブロックとが重複しないように設定する。具体的には、リソース設定部１４は、非サブフレームバンドリングクラスの初回送信パケットの再送間隔Ｔ２後に再送パケットが送信される場合、上記重複が発生するサブフレームから再送間隔Ｔ２前のサブフレームを含まないように設定される。
【００８１】
図９において、非サブフレームバンドリングクラスの初回送信パケットがサブフレーム＃１０のリソースブロックＲＢ１及びＲＢ２に割り当てられる場合、当該再送パケットは、当該初回送信パケットから再送間隔Ｔ２（図９では、８ｍｓ）後のサブフレーム＃１８のリソースブロックＲＢ２２及びＲＢ２３に割り当てられる。一方、サブフレーム＃１８のリソースブロックＲＢ２３には、サブフレームバンドリングクラスの再送パケットも割り当てられる。このため、サブフレーム＃１８のリソースブロックＲＢ２３には、非サブフレームバンドリングクラスの再送パケットとサブフレームバンドリングクラスの再送パケットが重複して割り当てられてしまう。この場合、非サブフレームバンドリングクラスの再送パケットにダイナミックスケジューリングを用いたリソース割り当てを行わなければならないため、制御オーバヘッドが増加する。また、非サブフレームバンドリングクラスの初回送信パケットがサブフレーム＃１２のリソースブロックＲＢ１及びＲＢ２に割り当てられる場合にも、サブフレーム＃２０において同様の重複が発生する。
【００８２】
そこで、図９に示すように、リソース設定部１４は、上記重複が発生するサブフレーム＃１８及び＃２０から再送間隔Ｔ２前のサブフレーム＃１０及び＃１２を含まないように、非ＳＦＢリソース群を設定する。すなわち、変更例３では、リソース設定部１４は、サブフレームバンドリングクラスの初回送信パケット又は再送パケットが割り当てらないサブフレーム＃５〜＃１６のうち、上記サブフレーム＃１０及び＃１２以外のサブフレームを、非ＳＦＢリソース群として設定する。なお、図９では、変形例１〜３を組み合わせた例を示しているので、非ＳＦＢリソース群からサブフレーム＃１４及び＃１６も除外されている。しかし、変更例３を単独で適用してもよいし、変更例１、３を組み合わせて或いは変更例２、３を組み合わせて用いてもよい。
【００８３】
変更例３に係る無線通信システムによれば、非ＳＦＢリソース群が、非サブフレームバンドリングクラスの再送パケットに割り当てられるリソースブロックとサブフレームバンドリングクラスの再送パケットに割り当てられるリソースブロックとが重複しないように設定される。したがって、非サブフレームバンドリングクラスの再送パケットにダイナミックスケジューリングを用いる必要がなく、制御オーバヘッドの増加を防止できる。
【００８４】
以上のように、変更例３に係る無線通信システムによれば、サブフレームバンドリングクラスと非サブフレームバンドリングクラスとが混在する場合であっても、非サブフレームバンドリングクラスの再送制御に係る制御オーバヘッドを増加させずに、いずれの無線通信端末２０にも割り当て不可能な空きリソースを減少させることができる。
【００８５】
また、サブフレームバンドリングクラスと非サブフレームバンドリングが混在する場合においては、パーシステントスケジューリングが適用されていない場合においても、変更例３を適用可能である。すなわち、サブフレームバンドリングクラスの初回送信パケットの送信タイミングからサブフレームバンドリングクラスの再送パケットの送信タイミングが決定されるため、非ＳＦＢリソース群が、非サブフレームバンドリングクラスの再送パケットに割り当てられるリソースブロックとサブフレームバンドリングクラスの初回送信パケットに割り当てられるリソースブロックとが重複しないように設定することが可能である。
【００８６】
＜変更例４＞
次に、本実施の形態に係る無線通信システムの変更例４について、変更例３との相違点を中心に説明する。変更例４では、非ＳＦＢリソース群は、サブフレームバンドリングクラスの初回送信パケット又は再送パケットに固定的に割り当てられるサブフレームにおいて当該サブフレームバンドリングクラスに優先的に割り当てられる所定数のリソースブロックを含まないように設定される点で、変更例３と異なる。図１０は、変更例４に係る無線リソース群の設定例を示す図である。
【００８７】
図１０に示すように、無線基地局１０のリソース設定部１４は、非ＳＦＢリソース群を、サブフレームバンドリングクラスの初回送信パケット又は再送パケットに固定的に割り当てられるサブフレームにおいて当該サブフレームバンドリングクラスに優先的に割り当てられる所定数のリソースブロックを含まないように設定する。すなわち、リソース設定部１４は、サブフレームバンドリングクラスの初回送信パケット又は再送パケットに固定的に割り当てられるサブフレームにおいて上記所定数のリソースブロック以外のリソースブロックを、非ＳＦＢリソース群として設定する。
【００８８】
図１０において、リソース設定部１４は、サブフレームバンドリングクラスの初回送信又は再送パケットに割り当てられるサブフレーム＃１〜＃４、＃１７〜＃２０のそれぞれにおいて、サブフレームバンドリングクラスを優先的に割り当てる２リソースブロックを予め確保する。また、リソース設定部１４は、上記サブフレーム＃１〜＃４、＃１７〜＃２０において当該２リソースブロックを含まないように、非ＳＦＢリソース群を設定する。すなわち、変更例４では、リソース設定部１４は、サブフレームバンドリングクラスの初回送信パケット又は再送パケットに割り当てられるサブフレーム＃１〜＃４、＃１７〜＃２０であってもサブフレームバンドリングクラスのために確保されていないリソースブロックを、非ＳＦＢリソース群として設定する。なお、図１０では、変更例１〜４を組み合わせた例を示しているが、変更例４を単独で適用してもよいし、変更例１〜３の少なくとも１つと組み合わせて用いてもよい。
【００８９】
変更例４に係る無線通信システムによれば、サブフレームバンドリングクラスの初回送信パケット又は再送パケットに割り当てられるサブフレームであってもサブフレームバンドリングクラスに優先的に割り当てられる所定数のリソースブロック以外のリソースブロックは、非ＳＦＢリソース群として設定可能となる。したがって、したがって、非ＳＦＢリソース群を構成するサブフレームを増加させることができ、非サブフレームバンドリングクラスの無線通信端末２０に対するリソース割り当て要求が発生してから当該無線通信端末２０に無線リソースが割り当てられるまでの遅延時間を減少させることができる。
【００９０】
例えば、図１０において、非サブフレームバンドリングクラスの無線通信端末２０に対するリソース割り当て要求がサブフレーム＃１で発生した場合に、リソース割り当て部１５は、サブフレーム＃１の空きリソースブロックを当該無線通信端末２０に割り当てることができる。この結果、サブフレーム＃５に割り当てられる場合と比較して、４サブフレーム分の遅延時間を減少できる。
【００９１】
以上のように、変更例４に係る無線通信システムによれば、サブフレームバンドリングクラスと非サブバンドリングクラスとが混在する場合であっても、非サブフレームバンドリングクラスに無線リソースを割り当てる際の遅延時間を増加させずに、いずれの無線通信端末２０にも割り当て不可能な空きリソースを減少させることができる。
【００９２】
また、サブフレームバンドリングクラスと非サブフレームバンドリングが混在する場合においては、パーシステントスケジューリングが適用されていない場合においても、変更例４を適用可能である。すなわち、サブフレームバンドリングクラスの初回送信パケットの送信タイミングからサブフレームバンドリングクラスの再送パケットの送信タイミングが決定されるため、非ＳＦＢリソース群が、非サブフレームバンドリングクラスの再送パケットに割り当てられるリソースブロックとサブフレームバンドリングクラスの初回送信パケットに割り当てられるリソースブロックとが重複しないように設定することが可能である。
【００９３】
＜変更例５＞
次に、本実施の形態に係る無線通信システムの変更例５について、変更例４との相違点を中心に説明する。変更例５では、ＳＦＢリソース群として変更例４より多くのサブフレームが設定される点で、変更例４と異なる。図１１は、変更例５に係る無線リソース群の設定例を示す図である。
【００９４】
図１１では、サブフレームバンドリングクラスの初回送信パケットは、サブフレーム＃１〜＃４に加えて、サブフレーム＃９〜＃１１にも割り当てられる。また、サブフレームバンドリングクラスの再送パケットは、サブフレーム＃１７〜＃２０に加えて、サブフレーム＃５〜＃８にも割り当てられる。ここで、サブフレーム＃１７〜＃２０に割り当てられる再送パケットは、サブフレーム＃１〜＃４の初回送信パケットに対応するものである。また、サブフレーム＃９〜＃１１に割り当てられる再送パケットは、前の一定時間間隔Ｔ０のサブフレーム＃９〜＃１１の初回送信パケットに対応するものである。
【００９５】
上述のように、図１０では、ＳＦＢリソース群として設定されたサブフレームにおいても、所定数のリソースブロック以外が、非サブフレームバンドリングクラスとして設定される。このため、サブフレームバンドリングクラスの無線通信端末２０が増加すると、パーシステントスケジューリングによる固定的なリソース割り当てができなくなる。この結果、サブフレームバンドリングクラスの無線通信端末２０にダイナミックスケジューリングによるリソース割り当てを行わざるを得ず、リソース割り当て制御に係る制御オーバヘッドが増加する。
【００９６】
一方、図１１では、図１０に示す場合と比較して、ＳＦＢリソース群で２倍のサブフレームが確保されている。このため、図１０に示す場合と比較して、パーシステントスケジューリングによるリソース割り当てがより多く可能となり、リソース割り当て制御に係る制御オーバヘッドを軽減できる。なお、図１１では、変更例１〜５を組み合わせた例を示しているが、変更例５を単独で適用してもよいし、変更例１〜４の少なくとも１つと組み合わせて用いてもよい。
【００９７】
以上のように、変更例５に係る無線通信システムによれば、サブフレームバンドリングクラスと非サブバンドリングクラスとが混在する場合であっても、サブフレームバンドリングクラスのリソース割り当て制御に係る制御オーバヘッドを増加させずに、いずれの無線通信端末２０にも割り当て不可能な空きリソースを減少させることができる。
【００９８】
また、サブフレームバンドリングクラスと非サブフレームバンドリングが混在する場合においては、パーシステントスケジューリングが適用されていない場合においても、変形例５を適用可能である。すなわち、サブフレームバンドリングクラスの初回送信パケットの送信タイミングからサブフレームバンドリングクラスの再送パケットの送信タイミングが決定されるため、非ＳＦＢリソース群が、非サブフレームバンドリングクラスの再送パケットに割り当てられるリソースブロックとサブフレームバンドリングクラスの初回送信パケットに割り当てられるリソースブロックとが重複しないように設定することが可能である。
【００９９】
＜変更例６＞
次に、本実施の形態に係る無線通信システムの変更例６について、変更例５との相違点を中心に説明する。変更例６では、ＳＦＢリソース群の空きリソースが、他の無線基地局１０又は他のセクタとは異なる周波数方向から順番に無線通信端末２０に割り当てられる点で、変更例５と異なる。図１２は、変更例６に係る無線リソースの割り当て例を示す図である。図１２Ａ及び１２Ｂは、隣接する無線基地局１０Ａ及び１０Ｂ間における無線リソースの割り当て例を示している。
【０１００】
図１２Ａに示すように、無線基地局１０Ａのリソース割り当て部１５が、ＳＦＢリソース群の空きリソースを、低周波数のリソースブロック（図１２Ａでは、リソースブロックインデックス値が最小のリソースブロック）から順に割り当てるとする。この場合、隣接する無線基地局１０Ｂのリソース割り当て部１５が、無線基地局１０Ａと同様に、ＳＦＢリソース群の空きリソースを、低周波数のリソースブロックから順に割り当てると、無線基地局１０Ａ及び１０Ｂ間で干渉が生じる。
【０１０１】
ＬＴＥ（Ｌｏｎｇ  Ｔｅｒｍ  Ｅｖｏｌｕｔｉｏｎ）などのセルラ方式に基づく移動通信方式では、隣接する無線基地局１０Ａ及び１０Ｂ間で同一周波数を繰返し使用することにより、周波数資源を有効に利用している。このため、上述のように、隣接する無線基地局１０Ａ及び１０Ｂのリソース割り当て部１５が、ＳＦＢリソース群の空きリソースを、同じ周波数方向から順番に割り当てると、無線基地局１０Ａ及び１０Ｂ間で干渉が発生し、受信品質が劣化し易くなる。
【０１０２】
そこで、図１２Ｂに示すように、無線基地局１０Ｂのリソース割り当て部１５は、ＳＦＢリソース群の空きリソースを、高周波数のリソースブロック（図１２Ｂでは、リソースブロックインデックス値が最大のリソースブロック）から順に割り当てる。このように、無線基地局１０Ｂのリソース割り当て部１５は、ＳＦＢリソース群の空きリソースを、無線基地局１０Ａとは異なる周波数方向から無線通信端末２０に割り当てる。このため、隣接する無線基地局１０Ａ及び１０Ｂ間で同じサブフレームの同じリソースブロックが使用される確率が低くなり、無線基地局１０Ａ及び１０Ｂ間の干渉を低減させることができる。この結果、干渉によるスループットの低下を防止できる。
【０１０３】
なお、上記においては、隣接する無線基地局１０Ａ及び１０Ｂ間について説明したが、１つの無線基地局１０に属するセクタ間においても適用可能である。また、図１２Ａ及びＢでは、変更例１〜６を組み合わせた例を示しているが、変更例６を単独で適用してもよいし、変更例１〜５の少なくとも１つと組み合わせて用いてもよい。
【０１０４】
以上のように、変更例６に係る無線通信システムによれば、サブフレームバンドリングクラスと非サブバンドリングクラスとが混在する場合であっても、隣接する無線基地局１０間、或いは、１つの無線基地局１０のセクタ間における干渉を増加させずに、いずれの無線通信端末２０にも割り当て不可能な空きリソースを減少させることができる。また、干渉増加に起因するスループットの低下を防止できる。
【０１０５】
＜その他の実施形態＞
上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１０６】
１０、１０Ａ、１０Ｂ…無線基地局、２０、２０ａ、２０ｂ…無線通信端末、１１…受信部、１２…ユーザ情報取得部、１３…リソース割り当てクラス決定部、１４…リソース設定部、１５…リソース割り当て部、１６…送信部
【図１】
2012222693.tif 000003
【図２】
2012222693.tif 000004
【図３】
2012222693.tif 000005
【図４】
2012222693.tif 000006
【図５】
2012222693.tif 000007
【図６】
2012222693.tif 000008
【図７】
2012222693.tif 000009
【図８】
2012222693.tif 000010
【図９】
2012222693.tif 000011
【図１０】
2012222693.tif 000012
【図１１】
2012222693.tif 000013
【図１２】
2012222693.tif 000014
【図１３】
2012222693.tif 000015
【図１４】
2012222693.tif 000016
【図１５】
2012222693.tif 000017